(57)【特許請求の範囲】
【請求項１】
配線・配管材を支持する長尺の配線・配管用支持材と、固定部材であるボルト体が螺合される螺孔を備えたナット体とから成る構造体であって、
前記配線・配管用支持材の側方には、
前記ナット体が収容される収容路が長手方向に沿って形成され、
前記収容路は、
前記収容路の側方に向けて開口する、前記ナット体の厚さよりも広く、ナット体の上下方向の長さよりも狭い開口幅が収容路に沿って連続して形成された開口部と、
前記開口部からナット体の上端部を収容路内上方へ挿入した状態でナット体の下端部を前記開口部を通過させるように前記下端部を収容路内方向へと前記ナット体を回転させることで、ナット体を前記収容路内へ配置することが可能な広さに形成された、前記ナット体が収容路に収容された状態で、ナット体の上方に形成される空間と、を備え
前記収容されたナット体の下面側が収容路内下面に当接した状態で、開口部から前記螺孔が外方に臨ませるように形成され、
前記収容したナット体への前記ボルト体の螺合により、該ナット体と該ボルト体とで前記配線・配管用支持材に配設される配設部材と前記収容路の開口部周縁であるリブとを挟持しつつ固定することを特徴とする配線・配管用支持材とナット体とから成る構造体。
【請求項２】
前記収容路内に収容されたナット体が、収容路内でのナット体の側方への可動を防止すべく、ナット体の下端側と係止する被固定部材係止部を、収容路内下面に形成したことを特徴とする請求項１に記載の配線・配管用支持材とナット体とから成る構造体。
【請求項３】
配線・配管材を支持する長尺の配線・配管用支持材と、固定部材であるボルト体が螺合される螺孔を備えたナット体とから成る構造体であって、
前記配線・配管用支持材の側方には、
前記ナット体が収容される収容路が長手方向に沿って形成され、
前記収容路は、
前記ナット体が収容路に収容された状態で、前記螺孔を外方に臨ませるべく前記収容路の側方に向けて開口する、前記ナット体の厚さよりも広く、ナット体の上下方向の長さよりも狭い開口幅が収容路に沿って連続して形成された開口部と、
前記開口部からナット体の上端部を収容路内上方へ挿入した状態でナット体の下端部を前記開口部を通過させるように前記下端部を収容路内方向へと前記ナット体を回転させることで、ナット体を前記収容路内へ配置することが可能な広さに形成された、前記ナット体が収容路に収容された状態で、ナット体の上方に形成される空間と、を備え、
開口部の反対側の内側面には、収容されたナット体の上下方向の可動を防止するため、
前記螺孔を貫通するようにして固定されたボルト体の先端が係止する固定部材係止部を備え、
前記収容したナット体への前記ボルト体の螺合により、該ナット体と該ボルト体とで前記配線・配管用支持材に配設される配設部材と前記収容路の開口部周縁であるリブとを挟持しつつ固定することを特徴とする配線・配管用支持材とナット体とから成る構造体。
【請求項４】
前記収容路は、配線・配管材が布設される布設部から立設される立設部に形成される請求項１から３のいずれかに記載の配線・配管用支持材とナット体とから成る構造体。
【発明の詳細な説明】
【技術分野】
【０００１】
本発明は、電線や信号線等のケーブルや湯、水、ガス、空調管等の流体管を布設するときに使用される配線・配管用支持材とナット体とから成る構造体に関するものである。
【背景技術】
【０００２】
配線・配管材の布設経路に沿って設置される配線・配管用支持材は、一定の長さの支持材を複数つなぎ合わせて長い布設路が形成される。従来、複数の受具をつなぎ合わせる場合は、配線・配管用支持材の側壁部の適当な位置にドリル等で取付孔を穿設し、ボルトとナット等の他の部品固定して連結されていた。
【０００３】
一方、配線・配管用支持材には、カバー部材、手摺り、ボックスや照明等の諸器具、他の布設経路から引き出されたり、引き込まれたりする配線・配管材を取り付けるための配設部材等が取付固定される。従来、配設部材等は配線・配管用支持材の親桁側壁部の適当な位置にドリル等で取付孔を穿設し、ボルトとナットにより取り付けられていた。
【０００４】
以上のような取り付け方法では、配線・配管用支持材を組み合わせたり、配設部材を取り付けたりする度に、配線・配管用支持材に取付孔を穿つ必要があるため非常に面倒であった。
【０００５】
こうした点を若干改良したものとして、例えば、実開平２−８８４１４号公報においてカバー部材の取付構造の発明を開示している。図２０に示したように、ケーブルラックＱの開口部を施蓋するカバーＰ上面に架設したチャンネル材２を、ケーブルラックＱの下端部に係止してカバーＰを固定するケーブル用カバー部材の止着装置において、チャンネル材２をカバーＰの幅長と略同長に形成し、このチャンネル材２端部内に挿入自在な屈曲片１Ｂと、ケーブルラックＱの下端部に係止する係合片１Ａとを有する略コ字形状の係止金具１を設け、チャンネル材２端部内に挿入した屈曲片１Ｂをチャンネル材２にネジ止めすることによりケーブルラック用カバー部材を止着できるような装置について、提案している。
【０００６】
これはチャンネル材２をチャンネル材２の端部内に挿入された係止金具１上端の屈曲片１Ｂに係止し、一方、係止金具１下端の係合片１ＡにてケーブルラックＱの下端部に係止してある。そして、カバーＰの幅長と略同長に形成されたチャンネル材２の端面の位置と、この端部内に挿入された係止金具１の側面の位置とが略同一になるようにしたものである。
【０００７】
このような従来の止着装置は、一定の形状のみの部材を取り付ける場合にはそれなりの効果がある。しかし、ボックスや配線・配管材を取り付けるための部材等、それぞれ種々の異なった形状の部材を取り付ける場合には、それぞれ独自の構成を有した固定金具等を用意して、別々の方法で取付固定しなければならないため、汎用性がなく、その作業も複雑かつ面倒なものとなる。
【発明の開示】
【発明が解決しようとする課題】
【０００８】
そこで、本発明は以上のような問題を解決するためになされたものであり、解決すべき課題は、取り付け位置にドリルで孔を開けるといった加工手段を施すことなく、容易かつ迅速に複数の配線・配管用支持材を連結可能になるとともに、種々の配設部材を適宜適当な位置に取着することができる配線・配管用支持材とナット体とから成る構造体を提供することにある。
【課題を解決するための手段】
【０００９】
以上のような問題点を解決するために本発明の請求項１に記載した発明が採った手段は、
配線・配管材を支持する長尺の配線・配管用支持材１００と、固定部材７０であるボルト体７０aが螺合される螺孔６４を備えたナット体６０aとから成る構造体であって、
前記配線・配管用支持材１００の側方には、
前記ナット体６０aが収容される収容路５０が長手方向に沿って形成され、
前記収容路５０は、
前記収容路５０の側方に向けて開口する、前記ナット体６０aの厚さよりも広く、ナット体６０aの上下方向の長さよりも狭い開口幅が収容路５０に沿って連続して形成された開口部５１と、
前記開口部５１からナット体６０aの上端部を収容路５０内上方へ挿入した状態でナット体６０aの下端部を前記開口部５１を通過させるように前記下端部を収容路５０内方向へと前記ナット体６０aを回転させることで、ナット体６０aを前記収容路５０内へ配置することが可能な広さに形成された、前記ナット体６０aが収容路５０に収容された状態で、ナット体６０aの上方に形成される空間５５と、を備え
前記収容されたナット体６０aの下面側が収容路５０内下面に当接した状態で、開口部５１から前記螺孔６４が外方に臨ませるように形成され、
前記収容したナット体６０aへの前記ボルト体７０aの螺合により、該ナット体６０aと該ボルト体７０aとで前記配線・配管用支持材１００に配設される配設部材４０と前記収容路５０の開口部周縁であるリブ５２とを挟持しつつ固定することを特徴とする配線・配管用支持材とナット体とから成る構造体とするものである。
【００１０】
これは配設部材４０を取り付けたりするための取り付け器具（ボルト体７０a及びナット体６０a）のうち、ナット体６０aを収容するための収容路５０を配線・配管用支持材１００に形成したものである。収容路５０は、ナット体６０aを側方から収容することができるようにしてあるとともに、収容したナット体６０aの螺孔６４を開口部５１から臨むように設置固定できるように形成されている。このように螺孔６４は開口部から臨むことができるので、開口部５１の外からでも、ボルト体７０aを容易に螺孔６４に合わせて取り付けることができる。このときにボルト体７０aとナット体６０aの間に配設部材４０と前記収容路５０の開口部周縁であるリブ５２とを挟持しつつ固定すれば、配設部材４０を取り付けることができる。
【００１１】
本発明の請求項１に記載した発明が採った手段は、開口部５１は収容路５０内に沿って連続して形成されていることを特徴とする配線・配管用支持材とナット体とから成る構造体とするものである。これはナット体６０aを任意の側方位置から挿入できるように開口部５１も連続して形成したものである。
【００１２】
本発明の請求項３に記載した発明が採った手段は、配線・配管材を支持する長尺の配線・配管用支持材１００と、固定部材７０であるボルト体７０aが螺合される螺孔６４を備えたナット体６０aとから成る構造体であって、
前記配線・配管用支持材１００の側方には、
前記ナット体６０aが収容される収容路５０が長手方向に沿って形成され、
前記収容路５０は、
前記ナット体６０aが収容路５０に収容された状態で、前記螺孔６４を外方に臨ませるべく前記収容路５０の側方に向けて開口する、前記ナット体６０aの厚さよりも広く、ナット体６０aの上下方向の長さよりも狭い開口幅が収容路に沿って連続して形成された開口部５１と、
前記開口部５１からナット体６０aの上端部を収容路５０内上方へ挿入した状態でナット体６０aの下端部を前記開口部５１を通過させるように前記下端部を収容路５０内方向へと前記ナット体６０aを回転させることで、ナット体６０aを前記収容路５０内へ配置することが可能な広さに形成された、前記ナット体６０aが収容路５０に収容された状態で、ナット体６０aの上方に形成される空間５５と、を備え、
開口部５１の反対側の内側面には、収容されたナット体６０aの上下方向の可動を防止するため、前記螺孔６４を貫通するようにして固定されたボルト体７０aの先端が係止する固定部材係止部５３を備え、
前記収容したナット体６０aへの前記ボルト体７０aの螺合により、該ナット体６０aと該ボルト体７０aとで前記配線・配管用支持材１００に配設される配設部材４０と前記収容路５０の開口部周縁であるリブ５２とを挟持しつつ固定することを特徴とする配線・配管用支持材とナット体とから成る構造体とするものである。これはボルト体７０aでナット体６０aを固定した際に、ボルト体７０aの先端７１を固定部材係止部５３に係止させ上下方向の可動を防止することにより、取り付け器具６０a、７０a全体の上下方向の可動を防止したものである。
【００１３】
本発明の請求項２に記載した発明が採った手段は、収容路５０内に収容されたナット体６０aが、収容路内でのナット体６０aの側方への可動を防止すべく、ナット体６０aの下端側と係止する被固定部材係止部５４を、収容路５０内下面に形成したことを特徴とする請求項１に記載の配線・配管用支持材とナット体とから成る構造体とするものである。これは被固定部材係止部５４にナット体６０aの一部を係止させることにより、ナット体６０aの左右方向の可動を防止してガタツキを防止したものである。従って、ナット体６０aに形成されている螺孔６４の位置がぶれることがなく、容易にボルト体７０aを螺孔６４に固定することができる。
【００１４】
本発明の請求項１又は３に記載した発明が採った手段は、前記ナット体６０aは、前記螺孔６４を備えており、ボルト体７０aが螺合可能に形成されていることを特徴とする配線・配管用支持材とナット体とから成る構造体とするものである。
【００１５】
本願の発明が採った手段は、ボルト体７０ａのナット体６０ａへの螺合により、該ナット体６０ａを前記収容路５０の開口部５１周縁に圧接させて、配線・配管用支持材１００ａにナット体６０ａを圧接固定可能とすることを特徴とする配線・配管用支持材とナット体とから成る構造体とするものである。すなわち、ボルト体７０ａでナット体６０ａを螺嵌すれば、ナット体６０ａは収容路５０の開口部５１周縁と当接することになる。その結果ナット体６０ａと配線・配管用支持材１００は圧接固定されることになる。
【００１６】
本発明の請求項１又は３に記載した発明が採った手段は、ボルト体７０ａのナット体６０ａへの螺合により、該ナット体６０ａと該ボルト体７０ａとで前記配設部材４０と前記収容路５０の開口部周縁であるリブ５２とを挟持しつつ固定されることを特徴とする配線・配管用支持材とナット体とから成る構造体とするものである。すなわち、配設部材４０を固定する手段としてボルト体７０aとナット体６０aとで挟持するという方法を採用したものである。
【００１７】
本発明の請求項４に記載された発明が採った手段は、前記収容路は、配線・配管材が布設される布設部から立設される立設部に形成される請求項１から３に記載の配線・配管用支持材とナット体とから成る構造体とするものである。請求項１から３に記載された収容路５０と同様のものを、立設部１２に形成したものである。
【発明の効果】
【００１８】
以上のように、本発明による請求項１から４に記載の配線・配管用支持材とナット体とから成る構造体においては、ナット体を収容路の任意の位置に側方から収容でき、しかもナット体の螺孔が開口部に向かって固定設置されるように形成されガタツキを防止している。従って、外部から螺孔に容易にボルト体を取り付けることができる。これにより取り付け器具と配線・配管用支持材と確実に固定できる。また、ボルト体とナット体の間に配設部材を挟持することにより、配設部材を取り付けることもできる。
【００１９】
請求項２又は３記載の発明により、上下方向又は側方方向の可動を防止することができる。また、請求項２記載の発明にあっては、収容するだけで、側方方向のガタツキをも防止することができ、容易にボルト体を取り付けることができるようになる。
【００２０】
請求項１から４に記載の発明によれば、それぞれナット体及びボルト体を使用することにより、従来からある取付器具で固定させることができ、作業も容易に行うことができる。
【００２１】
請求項１から４に記載の発明によれば、ボルト体とナット体の間に配設部材と前記収容路の開口部周縁であるリブとを挟持しつつ固定することにより、種々の配設部材を取り付けることもできる。
【００２２】
さらに、請求項４に記載の発明によれば、使用に応じて適宜配設部材を取り付けたい位置に立設部を設けることができ、配線・配管用支持材全体のいかなる位置にも配設部材を取り付けることができるようになる。
【発明を実施するための最良の形態】
【００２３】
（実施例１）
以下、本発明を図に示す実施例に沿って説明する。図１は実施例１による配線・配管用支持材１００の全体斜視図が、図２には、部分拡大図が示されている。図３には、収容路の正面断面図が示されている。ここで説明の便宜のため、本明細書においては、図１のＡの方向を「長手方向」といい、図３のＢの方向を「上下方向」といい、Ｃの方向を「側方方向」という。
【００２４】
配線・配管用支持材１００は、配線又は配管材３０が布設される布設部１１とその両脇に立設して形成される側壁１０とからなる。側壁１０の外側面には、被固定部材６０（当該被固定部材６０は、ナット体６０aと同一である。以下、同様。）を収容するための収容路５０が側壁１０の長手方向に連続して形成されている。収容路５０には、被固定部材６０を外部から収容できるように開口部５１が形成されている。開口部５１の幅Ｄは、被固定部材６０を収容した際に上下方向幅Ｅ（図４）より短く形成されている。従って、水平を保った状態でそのまま被固定部材６０を収容したり取り外したりすることはできないようになっている。また、被固定部材６０を長手方向の任意の位置から収容できるように、開口部５１も長手方向に沿って連続して形成されている。
【００２５】
開口部５１の上方には、リブ５２が収容路５０を覆うように突出して設けられ、収容路５０の上方に空間５５を形成している。一方、収容路５０の下方には、被固定部材６０の側方方向の可動を防止するための被固定部材係止部５４が形成されている。なお、被固定部材係止部５４は、実施例１においては、凹状に形成されているが、被固定部材係止部５４を凸状に形成し、被固定部材６０を凹状に形成してもよい。さらに、開口部５１の反対側の内側面には、取り付け器具６０、７０の上下方向の可動を防止するため固定部材７０（当該固定部材７０は、ボルト体７０aと同一である。以下、同様。）の先端７１を係止するための固定部材係止部５３が形成されている。
【００２６】
被固定部材６０は、実施例１においては、貫通した固定孔６４が二つ形成されていて、この固定孔６４には、ナット体のようにネジ溝が形成されている（当該固定孔６４は、螺孔６４と同一である。以下、同様。）。一方、固定部材７０には、被固定部材６０の固定孔６４と螺合するように、ネジ山が施されたボルト体７０ａを使用している。
【００２７】
被固定部材６０は、収容路５０への挿入を確保するため、図４に示したように収容路５０に最初に挿入される部分（実施例１においては上部）が他の部分と比較して薄く形成されている（Ｒの部分）。勿論、そのまま被固定部材６０に収容することができれば、必ずしも薄く形成する必要はない。また、薄く形成された部分Ｒの反対側は、収容路５０に挿入したときに前述の被固定部材係止部５４と係合して側方方向の可動を防止するため、可動防止係止部６１が突出形成されている。なお、ここで被固定部材６０は実施例１においては特殊な形状を有したナット体６０ａを使用しているが、使用用途に応じて適宜選択することができる。収容路５０に収容することができ、しかも収容路５０から脱落しない形状を有し、かつ固定部材７０と結合される形状であれば、従来からあるナットであってもよく、特に限定されるものではない。
【００２８】
さて、このように形成された配線又は配管用支持材１００は、以下のように、隣あった他の配線又は配管用支持材１００ａと連結されることになる。
【００２９】
まず、収容路５０に被固定部材６０を取り付ける方法を、図５〜図７に沿って述べる。開口部５１の幅Ｄは、挿入後の図を示す図７を見れば明らかなように被固定部材６０の上下向の幅Ｅよりも短く形成されているので、その水平状態を保ったまま直接挿入することができない。そこで、先述した被固定部材６０の他の部分より若干薄く形成されている部分（Ｒの部分）を収容路５０の上方に形成されている空間５５に挿入させる（図５）。こうすれば被固定部材６０の下端部は、開口部５１の下端より上方に位置することができる。そして、この状態から被固定部材６０がリブ５２に当接した部分５６を軸として回転させつつ挿入させる（図５、６）。その後、被固定部材６０を離せば、被固定部材６０は落下しつつ可動防止係止部６１が被固定部材係止部５４に係合し被固定部材６０の挿入は完了する（図７）。この係合により被固定部材６０の下方は、側方方向の可動を抑制されることになる。以上のような方法により、被固定部材６０を収容路５０の任意の位置で取り付けることが可能になり、その数も任意に取り付けることができる。
【００３０】
そして、このように取り付けられた被固定部材６０は側方方向の可動を防止してあるので、固定孔６４もガタツキことがない。従って、固定部材７０をこの固定孔６４に容易に螺合することができる（図８ ネジ溝は省略してある。）。このように螺合すれば、被固定部材６０の上部はリブ５２により、下方は被固定部材係止部５４に図８の矢印の方に圧接され固定される。こうして被固定部材６０の上下で側方方向の可動が抑制される。
【００３１】
一方、螺合により必然的に固定部材係止部５３に固定部材の先端７１が挿入され係止されることになる。従って、固定部材７０及びそれに固定された被固定部材６０の上下方向の可動を防止することができる。このように、被固定部材係止部５４で被固定部材６０の側方方向の可動を抑止することができるとともに、固定部材係止部５３によって上下方向の可動をも抑止することができる。従って、全体のガタツキを防止でき、確実に固定部材７０及び被固定部材を配線・配管用支持材１００に固定することができる。
【００３２】
このような固定方法を用いて隣り合った配線・配管用支持材１００を連接して固定すれば、図１のように互いを連結させることができる。なお、配線・配管用支持材１００の形状は特に限定されるものではなく、例えば、図９のように、円筒形のもの、管又はダクト（図１０）等であっても構わない。
【００３３】
次に実施例２について説明する。これは別体に形成されている配設部材４０をを取り付ける場合を示している。図１１は、実施例２における全体斜視図であり、配設部材として手摺りを固定している状態を示している。
【００３４】
実施例２における配線・配管用支持材１００は、布設部１１と収容路５０が形成された別体の立設部１２が形成されている。ここで、立設部１２の外側面に被固定部材６０を収容するための収容路５０が長手方向に連続して形成されている点、及び収容路５０、被固定部材７０、固定部材６０の形状については、実施例１と同様である。但し、被固定部材７０として固定孔６４が一つのものを使用している。また、被固定部材７０を収容路５０に取り付ける方法も実施例１と同様である。
【００３５】
このように形成された配線又は配管用支持材１００は、他の配設部材４０、例えば取付部材、カバー部材、手摺り等が取り付けられる点で実施例１と異なる。取り付け方法は、収容された被固定部材６０の固定孔６４に、配設部材４０の孔を介して固定部材７０を螺嵌し、配設部材４０が固定部材７０と被固定部材６０で挟まれるように固定する（図１３）。このときに実施例１と同様に側方方向及び上下方向の可動が、固定部材係止部５３と固定部材の先端部７１との係止及び可動防止係止部６１と被固定部材係止部５４との係止により抑制される。こうして配設部材４０の配線・配管用支持材１００への固定は完了する（図１３、１４）。
【００３６】
このような取り付け方法を使用することにより、配設部材４０は、立設部材１２の如何なる位置にも取り付けることができる。また、被固定部材６０自体も収容路５０内で確実に固定されているので、それに固定されている配設部材４０も確実に固定されることになる。さらに、本発明の固定方法によれば、配設部材４０に孔さえあいていれば、あらゆる形状の配設部材４０でも固定することができ、汎用性にも優れたものとなる。
【００３７】
なお、例えば、図１５に示したように、配線・配管材３０を雨、ほこり、外部衝撃等から保護するためのカバー部材４１を取り付けても良いし、図１６に示したように、配線又は配管用支持材１００の途中から引き出したり又は引き入れたりする配線又は配管材３０を固定するための配線・配管材固定部材（配設部材）４２や、支持材を吊るための吊りボルトを取り付けるための吊り金具４３等を取り付けてもよい。さらに、照明器具や種々の配線器具、それらの取付に使用する部材等使用用途に応じて種々の部材を取り付けてもよい。
【００３８】
次に実施例３について説明する。これは収容路５０に形成された固定部材係止部５３に所定間隔で貫通孔５６を設けたものである（図１７）。実施例１と同様に被固定部材６０を収容路５０に挿入取付した後、貫通孔５６側（開口部５１と反対側）から固定部材７０を挿入し固定することができる。
【００３９】
この方法によれば、あらかじめ立設部１２から固定部材７０を開口部５１より外方に突出させた状態で作業ができるので、配設部材４０の孔を合わせやすく、容易に作業を行うことができる。さらに、この方法によれば、ボルトとナット体の他にもリベット、若しくは簡易な棒状体等での固定も行うことができる。
【００４０】
さらに、実施例４が図１８に示されている。これは、収容路５０を両側に形成した立設部１２を布設部１１の両端の親桁の間にも形成したものである。このときに、立設部１２を取り外し自在に形成したり、親桁間を可動自在に形成すること等は、使用に応じて適宜選択すればよい。これにより、配線・配管用支持材１００のあらゆる位置に配設部材４０を取り付けることができるようになる。
【００４１】
また、配管・配管用支持材１００は、配線・配管材を布設するタイプのものばかりではなく、図１９のように配線・配管を吊すタイプのものにも応用することができる。
【図面の簡単な説明】
【００４２】
【図１】本発明に係る配線・配管用支持材とナット体とから成る構造体の実施例１を示す斜視図である。
【図２】本発明に係る配線・配管用支持材とナット体とから成る構造体の実施例１の部分拡大図を示す側面図である。
【図３】本発明に係る配線・配管用支持材とナット体とから成る構造体の実施例１の正面図である。
【図４】本発明に係る配線・配管用支持材とナット体とから成る構造体の実施例１の被固定部材を示す斜視図である。
【図５】本発明に係る配線・配管用支持材とナット体とから成る構造体の実施例１の収容路に被固定部材を取り付ける過程を示す正面図である。
【図６】本発明に係る配線・配管用支持材とナット体とから成る構造体の実施例１の収容路に被固定部材を取り付ける過程を示す正面図である。
【図７】本発明に係る配線・配管用支持材とナット体とから成る構造体の実施例１の収容路に被固定部材を取り付ける過程を示す正面図である。
【図８】本発明に係る配線・配管用支持材とナット体とから成る構造体の実施例１の収容路に被固定部材を取り付けた状態を示す正面図である。
【図９】本発明の別実施例を示す断面図である。
【図１０】本発明のさらに別の実施例を示す断面図である
【図１１】本発明に係る配線・配管用支持材とナット体とから成る構造体の実施例２を示す斜視図である。
【図１２】本発明に係る配線・配管用支持材とナット体とから成る構造体の実施例１の被固定部材を示す斜視図である。
【図１３】本発明に係る配線・配管用支持材とナット体とから成る構造体に配設部材を取り付けた状態を示す正面図である。
【図１４】本発明に係る配線・配管用支持材とナット体とから成る構造体に配設部材を取り付けた状態を示す側面図である。
【図１５】本発明に係る配線・配管用支持材とナット体とから成る構造体に配設部材としてカバー部材を取り付けた状態を示す側面図である。
【図１６】本発明に係る配線・配管用支持材とナット体とから成る構造体に配設部材として吊り金具等を取り付けた状態を示す側面図である。
【図１７】本発明に係る配線・配管用支持材とナット体とから成る構造体の実施例３を示す正面図である。
【図１８】本発明に係る配線・配管用支持材とナット体とから成る構造体の実施例４を示す断面図である。
【図１９】本発明に係る配線・配管用支持材とナット体とから成る構造体のうち、配線・配管材を吊すタイプに応用した例を示す斜視図である。
【図２０】従来の配線・配管用支持材の取付構造を示す斜視図である。
【符号の説明】
【００４３】
１０ 側壁
１１ 布設部
１２ 立設部
３０ 配線・配管材
４０ 配設部材
５０ 収容路
５１ 開口部
５４ 被固定部材係止部
５３ 固定部材係止部
５５ 空間
６０ 被固定部材
６１ 可動防止係止部
６４ 固定孔
７０ 固定部材
１００ 配線・配管用支持材
【図１】
0004805780.tif 000002
【図２】
0004805780.tif 000003
【図３】
0004805780.tif 000004
【図４】
0004805780.tif 000005
【図５】
0004805780.tif 000006
【図６】
0004805780.tif 000007
【図７】
0004805780.tif 000008
【図８】
0004805780.tif 000009
【図９】
0004805780.tif 000010
【図１０】
0004805780.tif 000011
【図１１】
0004805780.tif 000012
【図１２】
0004805780.tif 000013
【図１３】
0004805780.tif 000014
【図１４】
0004805780.tif 000015
【図１５】
0004805780.tif 000016
【図１６】
0004805780.tif 000017
【図１７】
0004805780.tif 000018
【図１８】
0004805780.tif 000019
【図１９】
0004805780.tif 000020
【図２０】
0004805780.tif 000021